(57)【特許請求の範囲】
【請求項１】
ろ材と、このろ材が収容され、原水入口から前記ろ材を通り浄水出口に至る流路が形成されたカートリッジケースと、このカートリッジケースを載置固定するベースと、前記カートリッジケースを固定した状態のベースに嵌め込まれる吐水口部付きカバー体とよりなり、更に、このカバー体は、前記吐水口部の外周に隙間を隔てて周壁を備えており、前記カートリッジケースは前記浄水出口を形成する上方に突出した出口部を前記吐水口部によって外嵌される位置に有するとともに、前記カートリッジケースを前記カバー体で覆ったときに、前記カバー体が前記出口部でロックされるロック機構を有し、このロック機構を、前記出口部の外周に形成したロック溝と、前記吐水口部に形成された孔に、バネの付勢力によって前記ロック溝に係合するよう設けられたロックボールと、前記隙間に設けられ前記バネの付勢力を前記ロックボールに伝達するよう回動自在に構成された伝達レバーと、この伝達レバーに連動連結され、前記バネの付勢力に抗する外力を加えることで前記伝達レバーを介して前記ロックボールおよびロック溝の係合を解除するロック解除レバーとで構成してあることを特徴とする浄水器。
【発明の詳細な説明】
【０００１】
【発明の属する技術分野】
この発明は、浄水器に関する。
【０００２】
【従来の技術および発明が解決しようとする課題】
例えば卓上型の浄水器として、ろ材が収容されたカートリッジケースよりなるカートリッジを有底円筒状のカバー体の底部にネジ止めにより載置固定した状態でカバー体の上方開口から上方に突出したカートリッジケースの浄水出口部および前記上方開口をノズル付の吐水口部で覆うように構成したものがあるけれども、吐水口部を浄水出口部にネジ止めすることにより吐水口部をカートリッジケースに固定していたので、カートリッジの交換作業に手間がかかっていた。
【０００３】
この発明は、上述の事柄に留意してなされたもので、その目的は、カートリッジの交換作業を容易にできる浄水器を提供することである。
【０００４】
【課題を解決するための手段】
上記目的を達成するため、この発明は、ろ材と、このろ材が収容され、原水入口から前記ろ材を通り浄水出口に至る流路が形成されたカートリッジケースと、このカートリッジケースを載置固定するベースと、前記カートリッジケースを固定した状態のベースに嵌め込まれる吐水口部付きカバー体とよりなり、更に、このカバー体は、前記吐水口部の外周に隙間を隔てて外周壁を備えており、前記カートリッジケースは前記浄水出口を形成する上方に突出した出口部を前記吐水口部によって外嵌される位置に有するとともに、前記カートリッジケースを前記カバー体で覆ったときに、前記カバー体が前記出口部でロックされるロック機構を有し、このロック機構を、前記出口部の外周に形成したロック溝と、前記吐水口部に形成された孔に、バネの付勢力によって前記ロック溝に係合するよう設けられたロックボールと、前記隙間に設けられ前記バネの付勢力を前記ロックボールに伝達するよう回動自在に構成された伝達レバーと、この伝達レバーに連動連結され、前記バネの付勢力に抗する外力を加えることで前記伝達レバーを介して前記ロックボールおよびロック溝の係合を解除するロック解除レバーとで構成してある。
【０００５】
【発明の実施の形態】
以下、この発明の実施の形態を図面を参照しながら説明する。
図１〜図４は、この発明の一実施形態を示す。
【０００６】
図１〜図４において、１は、ろ材２とそのろ材２を収容する円筒状のカートリッジケース３よりなるカートリッジで、カートリッジケース３の上面部中央に浄水出口４を形成する上方に突出した筒状の出口部５を有するとともに、カートリッジケース３の下面部中央に原水入口６を形成する下方に突出した筒状の入口部７を有する。前記出口部５の外周には円周角で１８０°離れた位置にそれぞれ１つずつロック溝８が形成されている。また、前記入口部７の外周には雄ネジｍが形成されている。
【０００７】
９は、カートリッジ１を載置固定するベースで、有底の筒形状をなし、底面部１０の中央から周面に向かって略Ｌ字型に底面部１０を貫通する原水導入孔１１を有する。この原水導入孔１１は、例えば台所あるいは洗面台等に設けた水栓からの分岐流路に連通している。１１ａは、この分岐流路を構成するパイプである。
【０００８】
１２は、原水導入孔１１の最下流側の周囲に位置するカートリッジ固定部分で、前記雄ネジｍに螺合する雌ネジｎが形成されている。１３は、ベース底面９ａの外端部において上方に突出した環状周壁である。また、１５は、Ｏリングである。
【０００９】
１６は、カートリッジ１をネジｍ，ｎ止めによって固定した状態のベース９に嵌め込まれるカバー体で、下方開口１７を有する筒状胴部１８と、ノズル保持部１９と、ノズル２０とより主としてなる。前記筒状胴部１８の高さは、カートリッジケース３の胴３ａの高さよりも高く設定されている。また、筒状胴部１８の上面中央には出口部５挿入用の挿入穴２６が形成されている。
【００１０】
前記ノズル保持部１９は筒状胴部１８の上面側に立設状態にて一体形成されており、筒状胴部１８よりは小径である。このノズル保持部１９は、前記出口部５が嵌め込まれる嵌め込み穴２４を有する筒状の吐水口部２１と、吐水口部２１の外周側に設けた環状の隙間２２を隔てて位置する周壁２３と、嵌め込み穴２４より下流側において嵌め込み穴２４に連通するノズル取付用の穴２８を中央に有するノズル取付部２９とよりなる。そして、前記周壁２３は、後述する一対のロック解除レバー３０が挿入される挿入穴３１を有する。また、吐水口部２１の内周面にはＵリング３２が設けられている。更に、吐水口部２１には、前記ロック溝８に対応する位置にそれぞれロックボール用の孔３４が形成されている。また、ノズル２０は、ノズル取付部２９に取り付けられた補助筒２０ａを介してカバー体１９に設けられている。
【００１１】
３３は、ロック機構（図３参照）で、カートリッジ１をカバー体１６で覆ったときに、カバー体１６が出口部５でロックされる機能を有するもので、このロック機構３３は、前記ロック溝８と、吐水口部２１に形成された孔３４に、バネ３５の付勢力によってロック溝８に係合するよう設けられたロックボール３６と、前記隙間２２に設けられバネ３５の付勢力をロックボール３６に伝達するよう回動自在に構成された伝達レバー３７と、この伝達レバー３７に連動連結され、バネ３５の付勢力に抗する外力Ｆを加えることで伝達レバー３７を介してロックボール３６およびロック溝８の係合を解除するロック解除レバー３０とで構成してある。なお、バネ３５は、ロック解除レバー３０が挿入される挿入穴３１にロック解除レバー３０に巻装された状態で設けられており、バネ３５の一端は例えばノズル取付部２９に固着され、バネ３５の他端は例えばロック解除レバー３０に固着され、それによって、ロック解除レバー３０を常時外側方向（外力Ｆの方向とは反対の方向）に付勢している。また、ロック解除レバー３０と伝達レバー３７は連動ピン４０で連結され、伝達レバー３７は、カバー体１６に固定された枢軸（回転軸）４１を支点にして回動する。
【００１２】
而して、図１（Ａ）および図２に示す状態の浄水器Ｗのカートリッジ１を交換するには、ロック解除レバー３０をボタン操作するだけで、すなわち、ロック解除レバー３０を図３に示すＦ方向に押圧するだけでロックボール３６とロック溝８の係合を解除でき、ベース９から容易にカバー体１６を取り外すことができる。続いて、カートリッジ１を捩じってベース９からカートリッジ１を外せる一方、交換したいカートリッジを逆の手順で容易に取り付けできる。
【００１３】
このように、ロック解除レバー３０をボタン操作するだけの簡単な動作でロックボール３６がロック溝８から解放される。すなわち、吐水口部２１をワンタッチで着脱できる利便性を持っている。
【００１４】
【発明の効果】
この発明では、カートリッジ交換をワンタッチで行うことができ、利便性を有する。
【図面の簡単な説明】
【図１】（Ａ）この発明の一実施形態を示す全体斜視図である。
（Ｂ）上記実施形態を示す分解斜視図である。
【図２】上記実施形態における全体構成説明図である。
【図３】上記実施形態における要部構成説明図である。
【図４】上記実施形態におけるカートリッジ交換動作を示す構成説明図である。
【符号の説明】
１…カートリッジ、２…ろ材、３…カートリッジケース、４…浄水出口、５…出口部、６…原水入口、８…ロック溝、９…ベース、１６…カバー体、２１…吐水口部、２２…隙間、２３…周壁、３０…ロック解除レバー、３４…ロックボール用の孔、３５…バネ、３６…ロックボール、３７…伝達レバー、４０…連動ピン、４１…枢軸（回転軸）。
【図１】
0004282884.tif 000002
【図２】
0004282884.tif 000003
【図３】
0004282884.tif 000004
【図４】
0004282884.tif 000005